(57)【要約】【課題】画像表示パネルを支持する支持枠体の剛性を得ることができ、しかも、簡易な操作で画像表示パネルのガタつきを防ぐことができる表示装置を提供する。【解決手段】画像表示パネルの周縁部を支持する支持枠体２と、画像表示パネルの周縁部を支持枠体２に押付けて取付ける固定枠体と、支持枠体２及び固定枠体の間で画像表示面に沿う方向へ移動を可能に設けた移動体７と、固定枠体を固定するボルトとを備え、移動体７の移動を案内する案内溝２１及び該案内溝２１に移動体７を保持する保持凸部２５ａ，２５ｂを支持枠体２に設け、係止凸部７１及び係止凹部２３が係脱するときに撓む可撓部７ｂを移動体７に設け、該移動体７を移動操作することにより画像表示パネルのガタつきを防ぐようにした。【選択図】図６
2007192921.tif 000002
【特許請求の範囲】
【請求項１】
画像表示パネルの周縁部を支持する支持枠体と、前記画像表示パネルの周縁部を前記支持枠体に押付けて固定する固定枠体とを備える表示装置において、前記支持枠体及び取付枠体の間で前記画像表示面に沿う方向へ移動が可能な移動体と、該移動体の移動位置を維持する維持手段とを備えることを特徴とする表示装置。
【請求項２】
前記維持手段は前記支持枠体及び移動体の一方に設けられた係止凸部と、該係止凸部と係脱が可能に他方に設けられた係止凹部とを有する請求項１記載の表示装置。
【請求項３】
前記支持枠体は前記移動体の移動を案内する案内溝及び該案内溝に移動体を保持する保持凸部を有し、前記移動体は前記係止凸部及び係止凹部が係脱するときに撓む可撓部を有し、該可撓部に前記係止凸部及び係止凹部の一方が設けられている請求項２記載の表示装置。 
【発明の詳細な説明】
【技術分野】
【０００１】
本発明は液晶表示装置、プラズマ表示装置等の表示装置に関する。
【背景技術】
【０００２】
テレビ等の表示装置は、画像表示面を前側に有する画像表示パネルの周縁部を支持する支持枠体と、前記画像表示パネルの周縁部を前記支持枠体に押付けて固定する固定枠体とを備える（例えば、特許文献１参照）。また、前記支持枠体に係止凹部を設け、該係止凹部に係止される係止凸部を前記固定枠体に突設し、該固定枠体が前記画像表示パネルを支持枠体に押付けて固定するとき、前記係止凸部を係止凹部に係止し、固定枠体を支持枠体に固定するように構成されている。
【０００３】
ところで、画像表示パネルを支持する支持枠体は、画像表示パネルの後側に配置される金属製のバックライトシャーシと、金属製の前記固定枠体との間に配置され、これらバックライトシャーシ及び固定枠体により保護されるため、支持枠体を合成樹脂製とし、表示装置全体の軽量化が図られている。
【特許文献１】特許第３６９１７９１号公報
【発明の開示】
【発明が解決しようとする課題】
【０００４】
以上のように支持枠体が合成樹脂製である場合、支持枠体の温度による収縮率が比較的大きいため、例えば支持枠体が形成されるときの雰囲気温度と、画像表示パネルが支持枠体に支持されるときの雰囲気温度とが異なるとき、支持枠体の収縮により該支持枠体の内周縁と画像表示パネルの外周縁との間の隙間が減少し、画像表示パネルを支持枠体の所定位置に支持することが困難になることがある。
【０００５】
支持枠体の収縮に影響されることなく画像表示パネルを支持枠体の所定位置に支持することができるようにするには、例えば、略コ字形をなす二つの半体により支持枠体を構成し、二つの半体の開放端部を連結具により連結するように構成したり、又は、支持枠体及び固定枠体とは別個に画像表示パネル押体を設け、該画像表示パネル押体をボルトにより固定するように構成することが考えられる。しかし、二つの半体により支持枠体を構成した場合、支持枠体の剛性が低下することになるとともに、半体間の隙間から埃が侵入し易くなり、また、画像表示パネル押体を設けた場合、画像表示パネル押体の複数箇所をボルトで固定する必要があるため、組立作業性が悪く、コスト高になる。
【０００６】
本発明は斯かる事情に鑑みてなされたものであり、主たる目的は画像表示パネルの周縁部を支持する支持枠体、及び画像表示パネルの周縁部を前記支持枠体に押付けて固定する固定枠体の間で移動が可能な移動体と、該移動体の移動位置を維持する維持手段とを設けることにより、支持枠体の剛性低下及び支持枠体内への埃の侵入を避けることができて、しかも、移動体を移動操作することにより画像表示パネルのガタつきを防ぐことができるとともに、この状態を維持することができる表示装置を提供することにある。
【０００７】
また、他の目的は支持枠体及び移動体の一方係止凸部を設け、他方に係止凸部と係脱が可能な係止凹部を設けることにより、部品点数を増やすことなく維持手段を設けることができ、維持手段を備える割にコストを低減でき、また、画像表示パネルのガタつき防止作業を簡易にできる表示装置を提供することにある。
【０００８】
また、他の目的は移動体の移動を案内する案内溝及び該案内溝に移動体を保持する保持凸部を支持枠体に設け、係止凸部及び係止凹部が係脱するときに撓む可撓部を移動体に設け、該可撓部に係止凸部及び係止凹部の一方を設けることにより、移動体をスムーズに移動させることができ、画像表示パネルのガタつき防止作業をより一層簡易にできる表示装置を提供することにある。
【課題を解決するための手段】
【０００９】
本発明に係る表示装置は、画像表示パネルの周縁部を支持する支持枠体と、前記画像表示パネルの周縁部を前記支持枠体に押付けて固定する固定枠体とを備える表示装置において、前記支持枠体及び取付枠体の間で前記画像表示面に沿う方向へ移動が可能な移動体と、該移動体の移動位置を維持する維持手段とを備えることを特徴とする。
【００１０】
この発明にあっては、移動体を移動操作することにより該移動体を画像表示パネルの周縁に当接させて該画像表示パネルのガタつきを防ぐことができる。また、移動体の移動位置は維持手段により維持することができる。また、移動体を備えるため支持枠体の剛性低下及び支持枠体内への埃の侵入を避けることができる。
【００１１】
また、本発明に係る表示装置は、前記維持手段は前記支持枠体及び移動体の一方に設けられた係止凸部と、該係止凸部と係脱が可能に他方に設けられた係止凹部とを有することを特徴とする。
【００１２】
この発明にあっては、係止凸部及び係止凹部の離脱により移動体を移動させることができ、しかも、移動体の移動操作を止めた位置で係止凸部及び係止凹部を係合させ、移動体の移動位置を維持することができるため、画像表示パネルのガタつき防止作業を簡易にできる。
【００１３】
また、本発明に係る表示装置は、前記支持枠体は前記移動体の移動を案内する案内溝及び該案内溝に移動体を保持する保持凸部を有し、前記移動体は前記係止凸部及び係止凹部が係脱するときに撓む可撓部を有し、該可撓部に前記係止凸部及び係止凹部の一方が設けられていることを特徴とする。
【００１４】
この発明にあっては、案内溝に沿って移動体を移動させることができ、しかも、移動体を移動操作するとき、可撓部が撓み、係止凸部及び係止凹部を係脱させることができるため、移動体をスムーズに移動させることができ、画像表示パネルのガタつき防止作業をより一層簡易にできる。
【発明の効果】
【００１５】
以上詳述したように本発明によれば、移動体を移動操作することにより該移動体を画像表示パネルの周縁に当接させて該画像表示パネルのガタつきを防ぐことができ、しかも、維持手段により移動体の移動位置を維持することができるため、画像表示パネルのガタつき防止作業を簡易にできる。また、移動体を備えるため支持枠体の剛性低下及び埃の支持枠体内への侵入を避けることができる。
【００１６】
また、本発明によれば、部品点数を増やすことなく維持手段を設けることができ、維持手段を備える割にコストを低減でき、また、画像表示パネルのガタつき防止作業を簡易にできる。
【００１７】
また、本発明によれば、案内溝に沿って移動体を移動させることができ、しかも、移動体を移動操作するとき、可撓部が撓み、係止凸部及び係止凹部を係脱させることができるため、移動体をスムーズに移動させることができ、画像表示パネルのガタつき防止作業をより一層簡易にできる。
【発明を実施するための最良の形態】
【００１８】
以下本発明をその実施の形態を示す図面に基づいて詳述する。図１は本発明に係る表示装置の分解斜視図、図２は画像表示パネル側部品を分解した拡大斜視図、図３は要部の拡大断面図、図４は固定枠体を取外した状態の要部の拡大断面図、図５は要部の拡大斜視図、図６は要部の分解斜視図、図７は移動体の組込み状態を示す斜視図である。
【００１９】
図示した表示装置はテレビ画像を表示する画像表示面１ａを有し、前面視略四角形をなす画像表示パネル１と、該画像表示パネル１の周縁及び周縁部後面を支持する合成樹脂製の支持枠体２と、画像表示パネル１の周縁部前面に接触し、画像表示パネル１の周縁部後面を支持枠体２に押付けて固定する固定枠体３と、支持枠体２を支持する箱形をなすバックライトシャーシ４と、該バックライトシャーシ４内に収容支持する複数の蛍光管５と、該蛍光管５及び画像表示パネル１の間に配置され、蛍光管５が放射した光を拡散させる拡散板等の光学シート６とを備えている。
【００２０】
支持枠体２は合成樹脂材料により前面視略四角形に成形されており、前面の内周側には画像表示パネル１の周縁部後面に接触する四つの支持面２ａと、支持面２ａの夫々の外側縁から前方に延出された四つの延出凸部２ｂ，２ｃ，２ｄ，２ｅを有する。尚、支持面２ａには画像表示パネル１を弾性的に受止める弾性体２０が設けられている。
【００２１】
一側の延出凸部２ｂの長手方向両端部には二つの案内溝２１，２１が設けられており、両側の延出凸部２ｂ，２ｃには複数の挿通孔２２があけられている。下側の延出凸部２ｄは画像表示パネル１の荷重を負担し、上側の延出凸部２ｅは画像表示パネル１の上方への移動を規制し、両側の延出凸部２ｂ，２ｃは画像表示パネル１の一側方向及び他側方向への移動を規制するようになっている。また、案内溝２１，２１には画像表示パネル１を他側の延出凸部２ｃに押付けるための移動体７，７が画像表示面１ａに沿う方向へ移動可能に保持されており、該移動体７，７により画像表示パネル１を他側の延出凸部２ｃに押付けるように構成されている。
【００２２】
案内溝２１の底面には、断面略Ｖ字形の凹条をなす複数の係止凹部２３を有する突起２４が突設されており、案内溝２１の両側開放縁部には、移動体７を移動可能に保持する四つの保持凸部２５ａ，２５ａ，２５ｂ，２５ｂが案内溝２１の長手方向に離隔して突設されている。
【００２３】
移動体７は合成樹脂材料により成形されており、案内溝２１の底面と保持凸部２５ａ，２５ｂとの間に配置され、夫々の保持凸部２５ａ，２５ｂに接触する二つの被案内部７ａ，７ａと、被案内部７ａ，７ａの両端部を連結し、被案内部７ａ，７ａ間に架設された可撓部７ｂと、該可撓部７ｂの内側に突設され、係止凹部２３と係脱が可能に係合する断面略Ｖ字形の係止凸部７１とを有する。
【００２４】
被案内部７ａ，７ａの途中には保持凸部２５ｂ，２５ｂに対応する凹所７２，７２が設けられており、該凹所７２，７２に保持凸部２５ｂ，２５ｂを嵌込みつつ移動体７を案内溝２１に挿入することができ、挿入した位置で係止凸部７１が係止凹部２３に係合し、この係合状態で移動体７を案内溝２１に沿って移動体７を若干画像表示パネル１側へ移動させることにより被案内部７ａ，７ａが保持凸部２５ａ，２５ｂに接触し、移動体７を案内溝２１に移動を可能に保持することができるように構成されている。また、移動体７を移動させるとき、係止凸部７１及び係止凹部２３が係脱し、係合が離脱するとき可撓部７ｂが係止凹部２３と離隔する側へ撓み、移動体７をスムーズに移動させることができるようになっている。尚、移動体７の一端、換言すると移動体７が画像表示パネル１の周縁に当接する当接端にはゴム製の弾性体８が設けられており、該弾性体８を撓ませつつ移動体７を移動させるようになっている。
【００２５】
固定枠体３は金属板からなり、支持枠体２の前面に対向する環状の押付部３ａと、該押付部３ａの外縁から後方へ延出され、支持枠体２の外周面と対向する周壁部３ｂとを有しており、挿通孔２２に対応する挿通孔３１が押付部３ａにあけられている。そして、この固定枠体３を支持枠体２に套嵌し、画像表示パネル１を支持面２ａに押付けて固定するとき、押付部３ａの一部が可撓部７ｂに当接し、該可撓部７ｂを押圧し、移動体７が不用意に移動するのを禁止するようになっている。また、押付部３ａの内側には画像表示パネル１を弾性的に押付ける弾性体９が設けられている。
【００２６】
バックライトシャーシ４は直方体をなす枠部材４１と、該枠部材４１の後側端を閉鎖する蓋板４２とを有する箱形をなしており、周縁部には複数の第１及び第２の螺子孔４３，４４と、複数の係止孔４５とがあけられている。また、バックライトシャーシ４内には蛍光管５の両端部を保持するホルダ１０と、蛍光管１０が発光した光を画像表示パネル１に反射させるべき反射シート１１と、該反射シート１１の周縁部を蓋板４２に押付けるシート押体１２とが収容されている。ホルダ１０は係止孔４５に挿入して係止される係止爪を有しており、シート押体１２は第１の螺子孔４３に対応する貫通孔１２ａと、第２の螺子孔４４に対応する挿通孔１２ｂとが設けられている。
【００２７】
以上のように構成された表示装置は、架台に載置されたバックライトシャーシ４に反射シート１１、ホルダ１０、蛍光管５及びシート押体１２が収容保持された後、シート押体１２に光学シート６と、移動体７を備える支持枠体２とを載置して支持し、次に画像表示パネル１を支持枠体２の支持面２ａに載置して支持し、画像表示パネル１の周縁部、換言すると支持枠体２に固定枠体３を套嵌する。この後、挿通孔３１，１２ｂにボルトを挿通し、該ボルトをバックライトシャーシ４の第２の螺子孔１２ｂに緊締することにより固定枠体３とバックライトシャーシ４との間で光学シート６及び支持枠体２を挾着固定するとともに、支持枠体２と固定枠体３との間で画像表示パネル１を挾着固定する。また、バックライトシャーシ４には画像表示パネル１を起立状態に支持するスタンド及びバックライトシャーシを取り囲むバックキャビネットが取着され、固定枠体３を取り囲むフロントキャビネットがバックキャビネットに取着される。
【００２８】
このような組立て工程において、画像表示パネル１を支持枠体２に支持するとき、該画像表示パネル１の周縁を下側の延出部２ｄ及び他側の延出部２ｃに当接させる。また、画像表示パネル１を支持枠体２に支持するとき、支持枠体２の案内溝２１，２１に保持されている移動体７，７は画像表示パネル１と離隔した位置にある。この移動体７，７を画像表示パネル１側へ移動操作し、該移動体７，７の一端、詳しくは一端に設けられた弾性体８を画像表示パネル１の周縁に押付け、画像表示パネル１の横方向のガタつきを防ぐ。
【００２９】
移動体７，７は被案内部７ａ，７ａが保持凸部２５ａ，２５ｂに接触し、係止凹部２３が係止凸部７１に係合しており、可撓部７ｂが係止凸部７１と離隔する側へ撓むことが可能になっているため、可撓部７ｂの他端を指で押圧することにより、係止凹部２３及び係止凸部７１が係脱し、移動体７，７を画像表示パネル１側へスムーズに移動させることができる。
【００３０】
また、係止凸部７１及び係止凹部２３が係合し、移動体７の位置を維持した状態でボルトにより固定枠体３を固定することができるため、固定枠体３の固定作業を簡易にできる。また、固定枠体３を固定するとき、該固定枠体３の押付部３ａが移動体７の可撓部７ｂを押圧するため、係止凸部７１及び係止凹部２３の係合が離脱するのを禁止でき、画像表示パネル１のガタつき防止状態を維持することができる。また、支持枠体２の全体が一端成形されているため、支持枠体２の剛性を得ることができるとともに、埃が支持枠体２の内側へ侵入し難いのである。
【００３１】
尚、以上説明した実施の形態では、直方体に形成された支持枠体２の一側に移動体７を保持したが、その他、移動体７は支持枠体２の他側、両側に設ける構成としてもよいし、また、上側にも設ける構成としてもよい。
【００３２】
また、以上説明した実施の形態では支持枠体２に係止凹部２３を設け、移動体７に係止凸部７１を設けたが、その反対に支持枠体２に係止凸部７１を設け、移動体７に係止凹部２３を設ける構成としてもよい。また、係止凹部２３及び係止凸部７１は、案内溝２１の深さ方向に対向するように配置したが、その他、案内溝２１の幅方向に対向するように配置してもよい。また、係止凹部２３及び係止凸部７１はいずれか一方を複数とし、他方を一つとしてもよい。
【００３３】
また、以上説明した実施の形態では、固定枠体３をバックライトシャーシ４側のシート押体１２に固定するように構成したが、その他、支持枠体２をバックライトシャーシ４に取付け、該支持枠体２に固定枠体３を固定するように構成してもよいし、また、固定枠体３をバックライトシャーシ４に直接固定するように構成してもよい。
【００３４】
また、本発明に係る表示装置は液晶テレビ等の液晶表示装置である他、プラズマ表示装置、ＥＬディスプレイ等の表示装置であってもよい。
【図面の簡単な説明】
【００３５】
【図１】本発明に係る表示装置の分解斜視図である。
【図２】本発明に係る表示装置の画像表示パネル側部品を分解した拡大斜視図である。
【図３】本発明に係る表示装置の要部の拡大断面図である。
【図４】本発明に係る表示装置の固定枠体を取外した状態の要部の拡大断面図である。
【図５】本発明に係る表示装置の要部の拡大斜視図である。
【図６】本発明に係る表示装置の要部の分解斜視図である。
【図７】本発明に係る表示装置の移動体の組込み状態を示す斜視図である。
【符号の説明】
【００３６】
１    画像表示パネル
２    支持枠体
２１  案内溝
２３  係止凹部（維持手段）
２５ａ，２５ｂ  保持凸部
３    固定枠体
７    移動体
７ｂ  可撓部
７１  係止凸部（維持手段）
【図１】
2007192921.tif 000003
【図２】
2007192921.tif 000004
【図３】
2007192921.tif 000005
【図４】
2007192921.tif 000006
【図５】
2007192921.tif 000007
【図６】
2007192921.tif 000008
【図７】
2007192921.tif 000009